(57)【要約】      （修正有）【課題】木本来の色を損なうことなく色彩感、装飾性に優れ、容易に優れた立体感、装飾性を付与するために必要な板材を提供する。【解決手段】木材製装飾性家庭用具、及び健康用具、及び装飾用具において、色調、木味等の異なる木材において、白色系ではメープル、アッシュ、パイン、オーク、黒色系ではウェンジ、コクタン、赤色系ではパドゥーク、バイオレットウッド、茶色系ではウォールナット、ソノケリン、黄褐色系ではチーク、タモ、赤茶色系ではチェリー、ココボロの木板材から選られた、幅２０〜５０ｍｍ、長さ２００〜５００ｍｍの短冊状の木片体１と、直径１０〜５０ｍｍの球状体２とを組み合わせて、材料を互いに長さ方向と正向きに間隔をあけ、縦方向に接合する。【選択図】図３
0003194232.tif 000002
【実用新案登録請求の範囲】
【請求項１】
木材製装飾性家庭用具、及び健康用具、及び装飾用具において、色調、木味等の異なる木材において、白色系ではメープル、アッシュ、パイン、オーク、黒色系ではウェンジ、コクタン、赤色系ではパドゥーク、バイオレットウッド、茶色系ではウォールナット、ソノケリン、黄褐色系ではチーク、タモ、赤茶色系ではチェリー、ココボロの木板材から選られた、幅２０〜５０ｍｍ、長さ２００〜５００ｍｍの短冊状の木片体と、直径１０〜５０ｍｍの球状体とを組み合わせて、製作することができることを特徴とする色彩感、装飾性の優れた異種類の色彩的装飾木材片。
【請求項２】
木材を組み合わせることにより意匠的にバランスの良いデザイン性、色彩感、装飾性の優れた樹種を組み合わせできる色彩的装飾板である短冊状の木片体は、上記木目に沿った木材を厚さ５〜１０ｍｍであって、白色系ではメープル、アッシュ、パイン、オーク、黒色系ではウェンジ、コクタン、赤色系ではパドゥーク、バイオレットウッド、茶色系ではウォールナット、ソノケリン、黄褐色系ではチーク、タモ、赤茶色系ではチェリー、ココボロでの板材から、幅２０〜５０ｍｍ、長さ２００〜５００ｍｍの短冊状の木片体に製材されて、表面を研磨処理されていることを特徴とする請求項１に記載の色彩感、装飾性の優れた異種類の色彩的装飾木材片。
【請求項３】
前記の球状体は、白色系ではメープル、アッシュ、パイン、オーク、黒色系ではウェンジ、コクタン、赤色系ではパドゥーク、バイオレットウッド、茶色系ではウォールナット、ソノケリン、黄褐色系ではチーク、タモ、赤茶色系ではチェリー、ココボロであって、前記の板材から縦横２０〜７０ｍｍの略立方体を作り、この立方体を容器に入れて回転させて角部を摩耗させて球状体に成形していることを特徴とする請求項１又は請求項２に記載の色彩感、装飾性の優れた異種類の色彩的装飾木材片。
【請求項４】
前記の幅２０〜５０ｍｍ、長さ２００〜５００ｍｍの短冊状の木片体を、上部と下部それぞれに幅方向に穴を開けて、また直径１０〜５０ｍｍの球状体を中心部に穴を開けて、短冊状の木片体と球状体とを色彩を変えて上下紐によって並べ連結さて、木質の色彩が異なる板木片体と球状体とからなり、板片体間の球体を入れた鉢様容器用木製鉢カバーにしていることを特徴とする請求項１〜請求項３のいずれかに記載の色彩感、装飾性の優れた異種類の色彩的装飾木材片。
【請求項５】
健康用具として、球状体を３〜１０個ネット状袋体に入れて、掌内で握り締めて動かし、手と脳の活性化に使用できて、動かしによって色彩を楽しむことができることを特徴とする請求項１〜請求項４のいずれかに記載の色彩感、装飾性の優れた異種類の色彩的装飾木材片。
【考案の詳細な説明】
【技術分野】
【０００１】この考案は、色調、木味等の異なる木材において白色系、黒色系、赤色系、茶色系、黄褐色系、赤茶色系の木板材から選られた、短冊状の木片体と、球状体とを組み合わせて、木材製装飾性家庭用具などを製作することができる色彩感、装飾性の優れた異種類の色彩的装飾木材片に関する。
【背景技術】
【０００２】木材製装飾性家庭用具などをの製作には、従来の板材はできるだけ似通った模様の部材を揃えて構成されており、斜目模様の床や壁はフローリング等を単に斜めに揃えて張り合わせるよう構成されている。【０００３】高級天然木材の持つ木目の模様で、チーク模様、ローズウッド模様、ウォールナット模様の組み合わせた化粧板が提案されている。（特許文献１参照）。明度および色彩の異なる木材の組み合わせにより装飾性を向上させた木材の化粧板が開発されている（特許文献２参照）。また木材の無垢材あるいは集成材の柾目と木目の調合した化粧板も提案されている（特許文献３参照）。【０００４】一般家具市場において、市販されている家具は諸種の木材、木材単板、プラスチック、ガラス等が使用されている。これは、近年の木材資源の不足により、無垢材は少なく高価であるため、集成材等の材料が主として天板や扉材として利用されているのが実情である。これはデザイン上の美的感覚等で利用されている場合もある。また、木材においては、複数種の木材を用いて化粧単板を構成するものは、単一の素材でなく、他の素材と一体に構成したものが存在するが、例えば、色彩の異なった木材を集成してこれをカンナで削って箱の表面に貼着するものであり、その製造には煩雑な工程と熟練を要する。（特許文献４参照）【０００５】鉢カバーにおいて、例えば上端側より下端側の幅が順次狭くなる多数枚の側板をゴム紐により互いに連設した多角筒状の植木鉢カバーが提案されている（特許文献５参照）。また、両端部に嵌合突部と係合爪を有する複数枚の板部を、上記嵌合突部が嵌合する嵌合凹部と、上記係合爪が係合する係合部を有するカバー板により互いに連結するようにした組立式鉢カバーが提案されている（特許文献７参照）。両側の側縁部に嵌合部を有する複数枚の周壁板を、上記嵌合部を互いに連結することにより無端状に閉じたプランタカバーが提案されている。【０００６】このような観賞用植物の栽培において、植木鉢の使用は不可欠であるが、一般の植木鉢は、視覚的には必ずしも美観を呈するものではなく、したがってベランダや室内に置かれる場合には、外面に様々な意匠を施した装飾用の鉢カバー内に収容されることが多い。そこでこの考案は、表面処理に工夫を凝らすことで、高級感や荘厳感、重量感、輝き、美しさ等、今までにはない外観を得ることのできる鉢様容器の提供を課題とする。
【先行技術文献】
【特許文献】
【０００７】
【特許文献１】特開平８−１８３２９９号
【特許文献２】特表２００３−５３４９５３号
【特許文献３】特開平６−３２０１０５号
【特許文献４】特開平９−２５４１０９号
【特許文献５】実開平１−１４１６７０号公報
【特許文献６】特開２００２−３６９６２５号公報
【特許文献７】実開平３−１１７４３８号公報
【考案の概要】
【考案が解決しようとする課題】
【０００８】従来の技術で述べたものにあっては、下記のような問題点を有している。
似通った模様の部材を揃えて構成されたものにあっては、短冊状の木片体と、球状体の色、木味等の醸し出す模様が単調で、装飾性に優れた家具、建具、建築材料等に適した材料を提供することはできなかった。本考案は、従来の技術が有するこのような問題点に鑑みなされたものであり、その目的とするところは、次のようなことのできるものを提供しようとするものである。【０００９】まず、短冊状の木片体と、球状体の色調、木味等の異なる板を組み合わせた化粧板材を、材料を互いに長さ方向を正向きに間隔をあけ、縦方向に接合することによって、色彩感、装飾性に優れた材料を提供しようとするものであり、合板等の汎用性基材に、容易に優れた立体感、装飾性を付与するために必要な化粧板材を提供しようとするものである。【００１０】さらにプランタカバーはプランタの周囲を覆う構成のためプランタを移動する場合、プランタとプランタカバーを別個に移動しなければならないため手間がかかるなどの不具合もある。この発明はかかる従来の不具合を改善するためになされたもので、組立て及び分解が容易で、しかも引越しなどの際コンパクトに収納できる植木鉢カバーを提供することを目的とするものである。【００１１】植木鉢は、手入れや植え替え等の際には、鉢カバーから取り出すことが必要であるが、上記のように鉢カバーのサイズよりもわずかに小さいだけの植木鉢では、鉢カバーと植木鉢との間に隙間がほとんどないために、植木鉢を鉢カバーから引き上げる際に手がかりがなく、手入れや植え替え等の作業が困難であり、持ち運びにも不都合がある。本発明の目的は、上記のような従来の植木鉢に伴う欠点を解消し、手入れ等の際に鉢カバーから容易に取り出すことができるように改良した植木鉢を提供することである。
【課題を解決するための手段】
【００１２】本来持つ木板材の色調および木味において、色調、木味等の異なる木材において白色系ではメープル、アッシュ、黒色系はウェンジ、コクタン、赤色系はパドゥーク、バイオレットウッド、茶色系はウォールナット、ソノケリン、黄褐色系はチーク、タモ、赤茶色系のチェリー、ココボロで、これらの木板材から得られた短冊状の木片体と球状体を組み合わせて、木材製装飾性家庭用具、及び健康用具、及び装飾用具にしている、白色系のメープル、黒色系のウェンジ、赤色系のパドゥーク、茶色系のウォールナット、黄褐色系のチーク、赤茶色系のチェリーからなる幅２０〜５０ｍｍ、長さ２００〜５００ｍｍの短冊状の木片体と、直径１０〜５０ｍｍの球状体とから選ばれた材料である色彩感、装飾性の優れた異種類の色彩的装飾木材片である。【００１３】木材を組み合わせることにより意匠的にバランスの良いデザイン性、色彩感、装飾性の優れた樹種を組み合わせできる色彩的装飾板である短冊状の木片体は、上記木材を厚さ５〜１０ｍｍであり、白色系ではメープル、アッシュ、黒色系はウェンジ、コクタン、赤色系はパドゥーク、バイオレットウッド、茶色系はウォールナット、ソノケリン、黄褐色系はチーク、タモ、赤茶色系のチェリー、ココボロで板材から幅２０〜５０ｍｍ、長さ２００〜５００ｍｍの短冊状の木片体に製材されて、表面を研磨されている。【００１４】前記の球状体は、白色系ではメープル、アッシュ、黒色系はウェンジ、コクタン、赤色系はパドゥーク、バイオレットウッド、茶色系はウォールナット、ソノケリン、黄褐色系はチーク、タモ、赤茶色系のチェリー、ココボロで板材から縦横２０〜７０ｍｍの略立方体を作り、この立方体を容器に入れて回転させて角部を摩耗させて球状体に成形している。【００１５】前記の幅２０〜５０ｍｍ、長さ２００〜５００ｍｍの短冊状の木片体を、上部と下部それぞれに幅方向に穴を開けて、また直径１０〜５０ｍｍの球状体を中心部に穴を開けて、短冊状の木片体と球状体とを色彩を変えて上下紐によって並べ連結さて、木質の色彩が異なる板木片体と球状体とからなり、板片体間の球体を入れた鉢様容器用木製鉢カバーになる色彩感、装飾性の優れた異種類の色彩的装飾木材片。【００１６】球状体を３〜１０個ネット状袋体に入れて、掌内で握り締めて動かし、手と脳の活性化に使用できて、動かしによって色彩を楽しむことができる。３〜６種類短冊状の木片体を、蓋付き長方体状箱体に組み合わせて、多色装飾性の小物入れ容器にする。
【考案の効果】
【００１７】本考案は、色調、木味等の異なる材料によって構成される化粧板材を、順に配列、接着することにより、立体感、装飾性が優れたものになる。本考案品は木目の持つ自然な模様を保持しつつ、配列の工夫によって人工的に立体感模様を浮き出すことによって、極めて広いデザイン性を付与できるため、従来得ることのできなかった装飾効果を、木材製装飾性家庭用具、及び健康用具、及び装飾用具に付与することが可能になった。【００１８】鉢様容器によると、鉢様容器の表面には凹凸を形成しているので、被膜層は凸部分のみから現れる。このため、もともと立体的である上に、凸部分が光沢をもって輝き、浮彫や打ち出しのような芸術品が醸し出す雰囲気を持たせることができる。バリエーションが広がる。被膜層を化成処理により形成したので、簡単な作業であるにもかかわらず、一体性の高い感じを与え、安っぽい感じを与えることなく、見た目の高級感などをより一そう増幅することができる。所望の美観を呈することができる。
【図面の簡単な説明】
【００１９】
【図１】色彩感、装飾性の優れた異種類の色彩的装飾木材片の短冊状の木片体図
【図２】色彩感、装飾性の優れた異種類の色彩的装飾木材片の球体図
【図３】色彩感、装飾性の優れた異種類の色彩的装飾木材片を使用した鉢カバー図  Ａ：完成図  Ｂ：組み立て図  Ｃ：部品図
【図４】色彩感、装飾性の優れた異種類の色彩的装飾木材片を使用した健康用具図
【図５】色彩感、装飾性の優れた異種類の色彩的装飾木材片の装飾箱図
【考案を実施するための形態】
【００２０】この考案の実施の形態を図１〜図６を参照して詳述する。色彩感、装飾性の優れた異種類の色彩的装飾木材片の短冊状の木片体と使用の図を示す。
【実施例１】
【００２１】木材製装飾性家庭用具において、色調、木味等の異なる木材において、白色系ではメープル、アッシュ、黒色系ではウェンジ、コクタン、赤色系ではパドゥーク、バイオレットウッド、茶色系ではウォールナット、ソノケリン、黄褐色系ではチーク、タモ、赤茶色系ではチェリー、ココボロの木板材から選られた、木目に沿った木材を厚さ５〜１０ｍｍ、幅２０〜５０ｍｍ、長さ２００〜５００ｍｍの短冊状の木片体と、直径１０〜５０ｍｍの球状体とを、製作する。【００２２】前記の球状体は、白色系ではメープル、アッシュ、黒色系ではウェンジ、コクタン、赤色系ではパドゥーク、バイオレットウッド、茶色系ではウォールナット、ソノケリン、黄褐色系ではチーク、タモ、赤茶色系ではチェリー、ココボロであって、短冊状の木片体を所定の寸歩に裁断して、また前記の板材から縦横２０〜７０ｍｍの略立方体を作り、この立方体を容器に入れて回転させて角部を摩耗させて球状体に成形した。【００２３】前記の幅２０〜５０ｍｍ、長さ２００〜５００ｍｍの短冊状の木片体を、上部と下部それぞれに幅方向に穴を開けて、また直径１０〜５０ｍｍの球状体を中心部に穴を開けて、短冊状の木片体と球状体とを色彩を変えて上下紐によって並べ連結さて、木質の色彩が異なる板木片体と球状体とからなり、板片体間の球体を入れた鉢様容器用木製鉢カバーを得た。
【実施例２】
【００２４】木材製装飾性家庭用具において、色調、木味等の異なる木材において、白色系ではメープル、アッシュ、黒色系ではウェンジ、コクタン、赤色系ではパドゥーク、バイオレットウッド、茶色系ではウォールナット、ソノケリン、黄褐色系ではチーク、タモ、赤茶色系ではチェリー、ココボロの木板材から選られた、木目に沿った直径１０〜５０ｍｍの球状体とを、製作した。【００２５】前記の球状体は、白色系ではメープル、アッシュ、黒色系ではウェンジ、コクタン、赤色系ではパドゥーク、バイオレットウッド、茶色系ではウォールナット、ソノケリン、黄褐色系ではチーク、タモ、赤茶色系ではチェリー、ココボロであって、前記の板材から縦横２０〜７０ｍｍの略立方体を作り、この立方体を容器に入れて回転させて角部を摩耗させて球状体に成形した。【００２６】健康用具として、球状体を３〜１０個ネット状袋体に入れて、掌内で握り締めて動かし、手と脳の活性化に使用できて、動かしによって色彩を楽しむことができる
【実施例３】
【００２７】木材製装飾性家庭用具において、色調、木味等の異なる木材において、白色系ではメープル、アッシュ、黒色系ではウェンジ、コクタン、赤色系ではパドゥーク、バイオレットウッド、茶色系ではウォールナット、ソノケリン、黄褐色系ではチーク、タモ、赤茶色系ではチェリー、ココボロの木板材から選られた、木目に沿った木材を厚さ５〜１０ｍｍ、幅２０〜５０ｍｍ、長さ２００〜５００ｍｍの短冊状の木片体を、製作した。【００２８】装飾用具として、３〜６種類短冊状の前記木片体を、蓋付き長方体状箱体に組み合わせて、図５に示すような多色装飾性の小物入れ容器にした
【符号の説明】
【００２９】１．木片体
２．球状体
３．穴
４．紐
５．袋
６．鉢カバー
７．箱
８．色違い模様木片
９．木目
１０．木材製装飾
１１．鉢
１２．植物―花
【図１】
0003194232.tif 000003
【図２】
0003194232.tif 000004
【図３】
0003194232.tif 000005
【図４】
0003194232.tif 000006
【図５】
0003194232.tif 000007